(57)【特許請求の範囲】
【請求項１】
複数の横架材上にタイトフレームを介して取り付けられた下折板屋根の山部に支持具が取り付けられると共に、当該支持具に上折板屋根が取り付けられた二重折板屋根構造であって、
前記下折板屋根の底部における前記複数の横架材に対応する位置に、前記上折板屋根の底部を支持する補強具が設けられている
ことを特徴とする二重折板屋根構造。
【請求項２】
前記補強具は、高さ調整可能に構成されている
ことを特徴とする請求項１記載の二重折板屋根構造。
【請求項３】
前記補強具は、前記上折板屋根よりも熱伝導率が低い断熱材を含み、
前記断熱材は、前記下折板屋根の底部と前記上折板屋根の底部との間の熱伝導を妨げるように構成されている
ことを特徴とする請求項１または請求項２記載の二重折板屋根構造。
【請求項４】
前記補強具は、前記下折板屋根の底部に載置された金属製の本体部を有し、
前記断熱材は、前記本体部の上端に設けられている
ことを特徴とする請求項３記載の二重折板屋根構造。
【請求項５】
横架材上にタイトフレームを介して取り付けられた下折板屋根の山部に支持具が取り付けられると共に、当該支持具に上折板屋根が取り付けられた二重折板屋根構造に用いられる補強具であって、
前記下折板屋根の底部における前記横架材に対応する位置に載置される底板部と、
前記底板部に立設された立上部と、
前記立上部の上端に設けられ前記上折板屋根の底部を支持する支持板部と
を備えている
ことを特徴とする補強具。
【請求項６】
前記立上部は、
前記底板部から延出した第１の縦部と、
前記支持板部から延出した第２の縦部と
を備え、
前記第１の縦部と前記第２の縦部とは、互いに上下方向に位置変更可能に連結されている
ことを特徴とする請求項５記載の補強具。
【請求項７】
前記支持板部は、支持板本体の上面に設けられた断熱材を有し、
前記底板部，前記立上部，および前記支持板本体を含む本体部は金属により構成されており、
前記断熱材は、前記本体部よりも熱伝導率が低い
ことを特徴とする請求項５または請求項６記載の補強具。
【発明の詳細な説明】
【技術分野】
【０００１】
本発明は、二重折板屋根構造およびこれが備える補強具に関する。
【背景技術】
【０００２】
特許文献１には、従来の二重折板屋根構造が開示されている。この特許文献１記載の二重折板屋根構造は、母屋上に配置された下折板屋根と、下折板屋根の上方に所定の間隔をおいて配置された上折板屋根とを備えている。
【０００３】
母屋には、タイトフレームが設置されている。下折板屋根は、このタイトフレームに取り付けられている。また、下折板屋根の山部には支持具が取り付けられており、この支持具に上折板屋根が取り付けられている。
【先行技術文献】
【特許文献】
【０００４】
【特許文献１】特開２０１２−２１９５１８号公報
【発明の概要】
【発明が解決しようとする課題】
【０００５】
ところで、上折板屋根が設けられていない構造（つまり、下折板屋根だけの屋根構造）において積雪した場合、折板屋根の山部に掛かる荷重は、タイトフレームの山部で支持され、折板屋根の谷部に掛かる荷重は母屋によって支持される。すなわち、上折板屋根が設けられていない屋根構造では、積雪時の荷重を、タイトフレームの山部と母屋とで分散して支持することができ、タイトフレームの耐荷重内に収めることができる。
【０００６】
ところが、従来の二重折板屋根構造では、上折板屋根に積雪した場合、上折板屋根の山部と谷部との両方に掛かる荷重が支持具に掛かり、支持具に掛かる力はタイトフレームの山部に集中する。このため、従来の二重折板屋根構造では、積雪すると、タイトフレームの耐荷重を超えることがあり、この場合、タイトフレームの山部が押し潰されたように変形することがあった。
【０００７】
本発明は、上記事情に鑑みてなされたものであり、その目的とするところは、積雪時などのように、上折板屋根に大きな荷重が掛かってもタイトフレームが変形するのを抑制できる二重折板屋根構造およびこれが備える補強具を提供することにある。
【課題を解決するための手段】
【０００８】
本発明の二重折板屋根構造は、複数の横架材上にタイトフレームを介して取り付けられた下折板屋根の山部に支持具が取り付けられると共に、当該支持具に上折板屋根が取り付けられた二重折板屋根構造であって、前記下折板屋根の底部における前記複数の横架材に対応する位置に、前記上折板屋根の底部を支持する補強具が設けられていることを特徴とする。
【０００９】
またこの二重折板屋根構造において、前記補強具は、高さ調整可能に構成されていることが好ましい。
【００１０】
またこの二重折板屋根構造において、前記補強具は、前記上折板屋根よりも熱伝導率が低い断熱材を含み、前記断熱材は、前記下折板屋根の底部と前記上折板屋根の底部との間の熱伝導を妨げるように構成されていることが好ましい。
【００１１】
またこの二重折板屋根構造において、前記補強具は、前記下折板屋根の底部に載置された金属製の本体部を有し、前記断熱材は、前記本体部の上端に設けられていることが好ましい。
【００１２】
また、本発明の補強具は、横架材上にタイトフレームを介して取り付けられた下折板屋根の山部に支持具が取り付けられると共に、当該支持具に上折板屋根が取り付けられた二重折板屋根構造に用いられる補強具であって、前記下折板屋根の底部における前記横架材に対応する位置に載置される底板部と、前記底板部に立設された立上部と、前記立上部の上端に設けられ前記上折板屋根の底部を支持する支持板部とを備えている。
【００１３】
また、この補強具において、前記立上部は、前記底板部から延出した第１の縦部と、前記支持板部から延出した第２の縦部とを備え、前記第１の縦部と前記第２の縦部とは、互いに上下方向に位置変更可能に連結されていることが好ましい。
【００１４】
また、この補強具において、前記支持板部は、支持板本体の上面に設けられた断熱材を有し、前記底板部，前記立上部，および前記支持板本体を含む本体部は金属により構成されており、前記断熱材は、前記本体部よりも熱伝導率が低いことが好ましい。
【発明の効果】
【００１５】
本発明の二重折板屋根構造によれば、積雪時などのように、上折板屋根に大きな荷重が掛かってもタイトフレームが変形するのを抑制できることができる。
【００１６】
本発明の補強具は、下折板屋根の底部と上折板屋根の底部と間に配置されることで、上折板屋根に大きな荷重が掛かってもタイトフレームが変形するのを抑制できることができる。
【図面の簡単な説明】
【００１７】
【図１】本発明の一実施形態に係る二重折板屋根構造の縦断面図である。
【図２】同上の上折板屋根を省いた状態の斜視図である。
【図３】同上の補強具の分解斜視図である。
【図４】図４Ａ〜図４Ｅは、同上の補強具の高さ調整機能を説明するための説明図である。
【図５】図５Ａは、同上の補強具を配置するときの説明図である。図５Ｂは、同上の上折板屋根を設置するときの説明図である。
【発明を実施するための形態】
【００１８】
本発明は、二重折板屋根構造およびこれが備える補強具に関し、特に、下折板屋根の上方に支持具を介して上折板屋根が支持された二重折板屋根構造および、これに用いられる補強具に関する。以下、本発明の実施形態について添付図面に基づいて説明する。
【００１９】
図１には、本実施形態の二重折板屋根構造の縦断面図を示す。この二重折板屋根構造は、複数の横架材と、複数のタイトフレーム２と、下折板屋根３と、複数の支持具４と、上折板屋根５と、複数の補強具６とを備えている。
【００２０】
以下においては、軒から棟に向かう方向および棟から軒に向かう方向に平行な方向を屋根勾配方向として定義し、特に、棟から軒に向かう方向を流れ方向として定義する。また、屋根勾配方向に直交し、かつ屋根面に沿う方向を左右方向として定義する。
【００２１】
二重折板屋根構造は、下折板屋根３と上折板屋根５との間に隙間を有している。本実施形態の二重折板屋根構造は、既存の下折板屋根３の上方に、新設の上折板屋根５をカバーして改修する、いわゆるカバー工法により形成された屋根構造である。このような下折板屋根３および上折板屋根５は、複数の横架材上にタイトフレーム２を介して取り付けられる。
【００２２】
横架材は、タイトフレーム２を支える部分であり、母屋１により構成されている。複数の母屋１は、図２に示すように、屋根勾配方向に一定の間隔をおいて配置されている。各母屋１は、左右方向に延びている。各母屋１は、例えば、Ｃ型鋼により構成される。複数の母屋１上には、下折板屋根３が取り付けられる複数のタイトフレーム２が設置されている。
【００２３】
複数のタイトフレーム２は、屋根勾配方向に並んで配置される。本実施形態のタイトフレーム２は、左右方向に（つまり母屋１の長手方向に沿って）、山部２１と底部２２とが繰り返し形成されている。各タイトフレーム２は、各母屋１上に固定されており、例えば、底部２２が母屋１に溶接されることで固定される。
【００２４】
下折板屋根３は、タイトフレーム２に取り付けられている。下折板屋根３は、左右方向に並ぶ複数の折板材３１により構成されている。各折板材３１は、ガルバリウム鋼板（登録商標）や、めっき鋼板などの金属板により構成されており、断面略Ｖ字状に形成されている。下折板屋根３は、複数の折板材３１を左右方向に連結することで構成されている。
【００２５】
下折板屋根３は、図２に示すように、複数の山部３２と、これら山部３２の間に配置された複数の底部３３とを有している。複数の山部３２と複数の底部３３とは、左右方向に交互に連続して形成されている。
【００２６】
底部３３は、母屋１の上面に沿った部分であり、略平坦に形成される。底部３３は、その上面に沿って雨水が流通する。底部３３および山部３２は、屋根勾配方向に延びており、左右方向に隣接配置されている。山部３２は、底部３３から上方に突出している。各山部３２は、折板材３１の斜面の上端同士が連結されることで形成されており、断面山形状に形成される。斜面の上端同士の連結は、例えば、はぜ締結により行われる（このはぜ締結された部分をはぜ締め部３４という）。このはぜ締め部３４には、図１に示すように、山部３２の頂部から上方に突出するようにして支持具４が取り付けられる。
【００２７】
支持具４は、上折板屋根５の山部５２を支持する。支持具４は、はぜ締め部３４を左右方向から挟持することで固定される。複数の支持具４は、下折板屋根３の山部５２において、複数のタイトフレーム２の対応する位置に、一対一で取り付けられる。複数の支持具４は、各山部５２に対して取り付けられている。支持具４は、下折板屋根３のはぜ締め部３４に固定される支持具本体４１と、支持具本体４１に取り付けられた吊子４２とを備えている。
【００２８】
支持具本体４１は、下折板屋根３の山部３２の上面に載り、かつ、その上端部に、上折板屋根５の山部５２が載るように構成されている。これにより、支持具本体４１は、上折板屋根５の山部５２から荷重を受け、タイトフレーム２に伝達する。吊子４２は、上折板屋根５の山部５２に、はぜ締結により一体化され、上折板屋根５を固定するように構成されている。
【００２９】
上折板屋根５は、複数の支持具４に取り付けられる。上折板屋根５は、左右方向に並ぶ複数の折板材５１により構成されている。各折板材５１は、ガルバリウム鋼板（登録商標）や、めっき鋼板などの金属板により構成されており、断面略Ｖ字状に形成されている。上折板屋根５は、複数の折板材５１を左右方向に連結することで構成されている。
【００３０】
上折板屋根５は、下折板屋根３と同様の構成であり、複数の山部５２と、これら山部５２の間に配置された複数の底部５３とを有している。複数の山部５２と複数の底部５３とは、左右方向に交互に連続して形成されている。なお、上折板屋根５の構成は、下折板屋根３の構成と同じであるため説明を省略する。
【００３１】
このような構成の下折板屋根３の底部３３と上折板屋根５の底部５３との間には、複数の補強具６が配置されている。複数の補強具６は、下折板屋根３の底部３３における複数の母屋１に対応する位置に配置されており、上折板屋根５の底部５３を支持する。各補強具６は、図３に示すように、底板部６１と、立上部７と、支持板部８とを備えている。
【００３２】
底板部６１は、下折板屋根３の底部３３に載置される。底板部６１の中間部は平板状であり、底板部６１の長手方向（つまり左右方向）の両端は上方に向かって折曲している。底板部６１は、例えば、ガルバリウム鋼板（登録商標）やめっき鋼板により構成されている。
【００３３】
立上部７は、底板部６１から立ち上げられている。立上部７は、上下方向に延びている。立上部７は、例えば、ガルバリウム鋼板（登録商標）やめっき鋼板により構成される。立上部７は、底板部６１から上方に延出した第１の縦部７１と、支持板部８から下方に延出した第２の縦部７２とで構成されており、これらが互いに位置変更可能に連結されることで構成されている。つまり、立上部７は高さ調整機能を有している。
【００３４】
第１の縦部７１は、中央板部７１１と、一対の傾斜板部７１２と、一対の横板部７１３とを備えている。中央板部７１１は、左右方向および上下方向に延びており、正面視略矩形状に形成されている。一対の傾斜板の各々は、中央板部７１１の左右方向の端部から延びている。一対の傾斜板は、前方に位置するほど、互いに離れるように傾斜している。一対の横板部７１３は、一対の傾斜板の前端に一対一で対応しており、左右方向に延びている。
【００３５】
第２の縦部７２は、第１の縦部７１の断面形状と略同じ形状に形成されており、第１の縦部７１の前面に重なる。第２の縦部７２は、中央板部７２１と、一対の傾斜板部７２２と、一対の横板部７２３とを備えている。中央板部７２１は、左右方向および上下方向に延びており、正面視略矩形状に形成されている。一対の傾斜板の各々は、中央板部７２１の左右方向の端部から延びている。一対の傾斜板は、前方に位置するほど、互いに離れるように傾斜している。一対の横板部７２３は、一対の傾斜板の前端に一対一で対応しており、左右方向に延びている。
【００３６】
第１の縦部７１には複数の貫通孔７３が設けられている（以下、この貫通孔を第一貫通孔７３という）。また、第２の縦部７２にも複数の貫通孔７４が設けられている（以下、この貫通孔を第二貫通孔７４という）。本実施形態の複数の第一貫通孔７３は、各傾斜板部７１２および各横板部７１３に設けられている。複数の第一貫通孔７３は、２段に別れており、上段と下段との各段において複数並んでいる。各段の複数の第一貫通孔７３は、左右方向に並んでおり、中央板部７１１側に位置する貫通孔７３ほど、下方に位置している。
【００３７】
具体的に、各段の複数の第一貫通孔７３は、中央板部７１１側に向かって順に、５ｍｍずつ下方にずれている。また、上段の複数の第一貫通孔７３のうち、最も下方の第一貫通孔７３と、下段の複数の第一貫通孔７３のうちの最も上方の第一貫通孔７３とは、上下方向に５ｍｍずれている。
【００３８】
複数の第二貫通孔７４は、左右方向に並んでおり、すべてが同じ高さに形成されている。各第二貫通孔７４は、第一貫通孔７３に対し、上下方向に視て同じ位置に形成されている。
【００３９】
図４Ａ〜Ｅには、第一貫通孔７３と第二貫通孔７４とを選択的にボルトを介して連結した状態を示す。図４Ａが、立上部７が最も高い位置に設定された状態であり、図４Ｂ，図４Ｃ，…と順に、段階的に低くなるように設定される。このように、第一貫通孔７３と第二貫通孔７４との重なり位置を変えることで、補強具６は高さ調整可能に構成される。
【００４０】
支持板部８は、上折板屋根５の底部５３の下面を支持するように構成されており、図３に示すように、金属製の支持板本体８１と、支持板本体８１の上面に形成された断熱材８２とを備えている。
【００４１】
支持板本体８１は、第２の縦部７２に一体に形成されている。支持板本体８１は、金属板を曲げ加工することで形成されており、外周部を下方に折り曲げて形成されている。支持板本体８１は、底板部６１および立上部７と同じ種類の金属板により構成されており、ガルバリウム鋼板（登録商標）やめっき鋼板により構成されている。支持板本体８１の外周部以外の部分（中央部という）には、断熱材８２が接着固定されている。
【００４２】
なお、以下において、支持板本体８１と立上部７と底板部６１とを含む構成（断熱材８２を除く構成）を本体部という場合がある。すなわち、本実施形態の補強具６は、本体部と断熱材８２とで構成されている。
【００４３】
断熱材８２は、平板状に形成されている。断熱材８２の左右方向の長さは、上折板屋根５の底部５３の左右方向の長さと略同じである。断熱材８２は、本体部の金属よりも熱伝導率が低い材料により構成されており、また、上折板屋根材５を構成する折板材５１よりも熱伝導率が低く構成されている。断熱材８２は、例えば、ＡＢＳ樹脂，ポリエチレン，ポリプロピレン，ポリアミド，ポリカーボネート，ポリアセタール，フェノール樹脂，メラミン樹脂，アルキド樹脂により構成される。断熱材８２は、０．４［W・m-1・K-1］以下であることが好ましい。
【００４４】
断熱材８２は、図１に示すように、補強具６が下折板屋根３の底部３３と上折板屋根５の底部５３との間に配置されると、上折板屋根５の底部５３の下面に接触し、あるいは隙間を介して対向（近接対向）した状態となる。これにより、例えば、下折板屋根３の底部３３と上折板屋根５の底部５３との間で生じる熱伝導を、断熱材８２が妨げることができ、この結果、ヒートブリッジを抑制することができる。
【００４５】
このような構成の補強具６は、例えば、次のようにして施工される。
【００４６】
図５Ａに示すように、作業者は、下折板屋根３の山部３２において、タイトフレーム２が存在する部分に対応する位置に、支持具４を取り付ける。また、下折板屋根３の底部３３における母屋１に対応する位置（直下に母屋１が存在する位置）に補強具６を配置する。ここで、下折板屋根３の底部３３と補強具６とを、例えば、両面テープを用いて仮止めすることで、上折板屋根５を設置する際に、補強具６がずれるのを防ぐことができる。なお、「母屋１に対応する位置」とは、補強具６が母屋１により支持される位置であればよく、母屋１と補強具６とが平面視で完全に重なっている必要はない。
【００４７】
このとき、補強具６の高さは、下折板屋根３の底部３３と上折板屋根５の底部５３との間の寸法に対応する高さに設定される。なお、この下折板屋根３の底部３３と上折板屋根５の底部５３との間の寸法については、設計時に把握することができる。
【００４８】
次いで、図５Ｂに示すように、上折板屋根５を設置する。具体的には、折板材５１を補強具６に載せ、この折板材５１に対して、左右方向に並ぶように、別の折板材５１を配置する。このとき、必要に応じて、下折板屋根３と上折板屋根５との間に、断熱材（例えば、グラスウール）を充填してもよい。この後、左右方向に並ぶように配置された複数の折板材５１を、はぜ締結により連結する。
【００４９】
このような二重折板屋根構造は、例えば、上折板屋根５に積雪すると、上折板屋根５の山部５２に掛かる荷重は、支持具４を介してタイトフレーム２の山部２１に伝達し、上折板屋根５の底部５３に掛かる荷重は、補強具６を介して母屋１に伝達する。したがって、本実施形態の二重折板屋根構造によれば、補強具６が設けられることで、タイトフレーム２の山部２１に伝達する荷重を低減させることができ、タイトフレーム２の変形を抑制できる。
【００５０】
（効果）
以上説明したように、本実施形態の二重折板屋根構造は、複数の横架材上にタイトフレーム２を介して取り付けられた下折板屋根３の山部３２に支持具４が取り付けられると共に、当該支持具４に上折板屋根５が取り付けられる。この二重折板屋根構造は、下折板屋根３の底部３３における複数の横架材に対応する位置に、上折板屋根５の底部５３を支持する補強具６が設けられている。この構成によれば、上折板屋根５に積雪した場合には、その荷重を、支持具４だけでなく補強具６によっても支持することができるため、タイトフレーム２の変形を抑制することができる。
【００５１】
また、補強具６の数量について、例えば、積雪の多い地域には全ての横架材に対応する位置に補強具６を配置したり、積雪の少ない地域には１つおきの横架材に対応して補強具６を配置したりすることもでき、必要に応じて補強具６の数量を決定することができる。
【００５２】
また、本実施形態の二重折板屋根構造は、以下の付加的な構成を有する。すなわち、本実施形態の補強具６は、高さ調整可能に構成されている。この構成によれば、下折板屋根３と上折板屋根５との種類が現場ごとに異なり、下折板屋根３の底部３３と上折板屋根５の底部５３との間の寸法が現場ごとに異なっても、補強具６の高さを適切な高さに調整でき、どの現場においても同じ補強具６を用いることができる。
【００５３】
また、本実施形態の二重折板屋根構造は、以下の付加的な構成を有する。すなわち、本実施形態の補強具６は、断熱材８２を含む。断熱材８２は、上折板屋根５よりも熱伝導率が低い。断熱材８２は、下折板屋根３の底部３３と上折板屋根５の底部５３との間の熱伝導を妨げるように構成されている。この構成によれば、下折板屋根３と上折板屋根５との間で生じるヒートブリッジを抑制でき、例えば、上折板屋根５に積雪した場合に、下折板屋根に結露が生じるのを防ぐことができる。特に、上折板屋根５と下折板屋根３との間に断熱材（例えばグラスウール）を充填するような構造においては、当該断熱材が、下折板屋根３に発生した結露水を吸収して断熱性が低下するのを防ぐことができる。
【００５４】
また、本実施形態の二重折板屋根構造は、以下の付加的な構成を有する。すなわち、本実施形態の補強具６は、下折板屋根３の底部３３に載置された金属製の本体部を有する。断熱材８２は、この本体部の上端に設けられている。この構成によれば、例えば、上折板屋根５に積雪した場合に、補強具６の本体部に結露が生じるのを防ぐことができる。この結果、上折板屋根５と下折板屋根３との間に断熱材を充填するような構造においては、当該断熱材が、下折板屋根３および補強具６に発生した結露水を吸収して断熱性が低下するのを防ぐことができる。
【００５５】
また、本実施形態の補強具６は、横架材上にタイトフレーム２を介して取り付けられた下折板屋根３の山部３２に支持具４が取り付けられると共に、当該支持具４に上折板屋根５が取り付けられた二重折板屋根構造に用いられる。この補強具６は、下折板屋根３の底部３３における母屋１に対応する位置に載置される底板部６１と、底板部６１に立設された立上部７と、立上部７の上端に設けられ上折板屋根５の底部５３を支持する支持板部８とを備えている。この構成によれば、下折板屋根３の底部３３に本実施形態の補強具６を配置し、上折板屋根５の底部５３を補強具６により支持させることで、仮に上折板屋根５に積雪した場合に、その荷重を、支持具４だけでなく補強具６によっても支持することができる。この結果、二重折板屋根構造において、タイトフレーム２の変形を抑制することができる。
【００５６】
また、本実施形態の補強具６は、以下の付加的な構成を備える。すなわち、本実施形態の立上部７は、底板部６１から延出した第１の縦部７１と、前記支持板部８から延出した第２の縦部７２とを備える。第１の縦部７１と前記第２の縦部７２とは、互いに上下方向に位置変更可能に連結されている。この構成によれば、補強具６の高さ調整を行うことができるため、下折板屋根３と上折板屋根５との種類が現場ごとに異なり、下折板屋根３の底部３３と上折板屋根５の底部５３との間の寸法が現場ごとに異なっても、同じ補強具６を用いることができる。
【００５７】
また、本実施形態の補強具６は、以下の付加的な構成を備える。すなわち、本実施形態の支持板部８は、支持板本体８１の上面に設けられた断熱材８２を有する。底板部６１，立上部７，および支持板本体８１を含む本体部は、金属により構成されている。断熱材８２は、本体部よりも熱伝導率が低くなるように構成される。この構成によれば、上折板屋根５を金属製の部材で強固に支持できながらも、下折板屋根３と上折板屋根５との間で生じるヒートブリッジを抑制できる。したがって、上折板屋根５に積雪しても、効果的に支持できる上に、下折板屋根および補強具６に結露が生じるのを防ぐことができる。特に、上折板屋根５と下折板屋根３との間に断熱材（例えばグラスウール）を充填するような構造においては、当該断熱材が、下折板屋根３および補強具６に発生した結露水を吸収して断熱性が低下するのを防ぐことができる。
【００５８】
（応用）
本実施形態の横架材は、母屋１であったが、例えば小梁であってもよく、母屋１のみに限定されない。
【００５９】
本実施形態の支持板部８は、通常の設置状態において、上折板屋根５の底部５３に接触しているが、例えば、上折板屋根５の底部５３に対し、隙間を介して対向してもよい。この場合、５ｍｍ以下の隙間であることが好ましい。
【００６０】
本実施形態の断熱材８２の位置は、本実施形態に限定されない。例えば、底板部６１の下面に設けられていてもよく、上折板屋根５の底部５３と下折板屋根３の底部３３との間で起こるヒートブリッジが抑制できればよい。
【００６１】
本実施形態の支持具４は、下折板屋根３の山部３２の頂部に固定されていたが、例えば、底部３３近傍から山部３２を跨るような構造の支持具４であってもよく、つまり、支持具４は山部３２の頂部に取り付けられなくてもよい。
【００６２】
本実施形態の補強具６の高さ調整機能は、５ｍｍごとに段階的に高さ調整可能に構成されていたが、調整幅は１〜５ｍｍのいずれかであってもよいし、例えば長孔等を介して連結することにより、無段階的に高さ調整可能に構成されていてもよい。
【００６３】
本実施形態の二重折板屋根構造は、既設屋根の上方に新設屋根を葺き替える改修工法により形成された屋根構造であったが、例えば、新築時に形成される二重屋根構造に適用してもよい。
【００６４】
また、本実施形態の補強具６の本体部は金属製であったが、補強具は、例えば、全体が樹脂により構成されてもよい。この場合、補強具全体を、ヒートブリッジを抑制するための断熱材として機能させてもよい。
【００６５】
その他、本発明の主旨を逸脱しない範囲であれば、適宜設計変更を行うことができる。
【符号の説明】
【００６６】
１      母屋（横架材）
２      タイトフレーム
３      下折板屋根
３２    山部
３３    底部
４      支持具
５      上折板屋根
５３    底部
６      補強具
６１    底板部
７      立上部
７１    第１の縦部
７２    第２の縦部
８      支持板部
８２      断熱材
【図１】
0006340024.tif 000002
【図２】
0006340024.tif 000003
【図３】
0006340024.tif 000004
【図４】
0006340024.tif 000005
【図５】
0006340024.tif 000006